【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
インクの全重量を基準として３５〜８０重量％の単官能性アクリレートモノマーと、インクの全重量を基準として少なくとも３重量％の光開始剤とを含む無色のインクジェットインク組成物であって、光開始剤がα−ヒドロキシケトン光開始剤を含み、インクがインクの全重量を基準として０〜６重量％のアシルホスフィン光開始剤を含む、組成物。
【請求項２】
多官能性（メタ）アクリレートモノマー、Ｎ−ビニルアミド、Ｎ−（メタ）アクリロイルアミンおよびβ−不飽和エーテルモノマーから選択される、１つのまたは複数の異なる放射線硬化性モノマーを含む、請求項１に記載の無色のインクジェットインク。
【請求項３】
インクの全重量を基準として１５〜５０重量％の多官能性（メタ）アクリレートモノマーを含む、請求項１または２に記載の無色のインクジェットインク。
【請求項４】
インクの全重量を基準としてＮ−ビニルアミドおよび／またはＮ−アクリロイルアミンを３〜４０重量％含む、請求項１から３のいずれかに記載の無色のインクジェットインク。
【請求項５】
脂肪族または芳香族環状基を含む１つまたは複数の単官能性モノマーを含む、請求項１から４のいずれかに記載の無色のインクジェットインク。
【請求項６】
単官能性アクリレートモノマーが、環状ＴＭＰホルマールアクリレート、イソボルニルアクリレート、またはそれらの混合物を含む、請求項１から５のいずれかに記載の無色のインクジェットインク。
【請求項７】
α−ヒドロキシケトン光開始剤が、１−ヒドロキシシクロヘキシルフェニルケトン、２−ヒドロキシ−２−メチル−１−フェニルプロパン−１−オンと、１−［４−（２−ヒドロキシエトキシ）−フェニル］−２−ヒドロキシ−２−メチル−１−プロパン−１−オンとから選択される、請求項１から６のいずれかに記載の無色のインクジェットインク。
【請求項８】
インクの全重量を基準として３〜２０重量％の光開始剤を含む、請求項１から７のいずれかに記載の無色のインクジェットインク。
【請求項９】
α−ヒドロキシケトン光開始剤が、光開始剤の全重量を基準として２５〜１００重量％の量で存在する、請求項１から８のいずれかに記載の無色のインクジェットインク。
【請求項１０】
インクの全重量を基準として０〜４重量％のアシルホスフィン光開始剤を含む、請求項１から９のいずれかに記載の無色のインクジェットインク。
【請求項１１】
請求項１から１０のいずれかに記載の無色のインクジェットインクを基材に印刷するステップおよびインクを化学線に露光するステップを含む、インクジェット印刷の方法。
【請求項１２】
インクを化学線に露光するステップが、
インクが基材に噴射されてから１．０秒以内は、インクを３００ｍＷ／ｃｍ２未満の強度を有する化学線に露光するステップと、
インクが基材に噴射されてから１．０秒を超えると、インクを５００ｍＷ／ｃｍ２を超える強度を有する化学線に露光するステップと
を含む、請求項１１に記載の方法。
【請求項１３】
インクを化学線に露光するステップが、
インクが基材に噴射されてから１．０秒以内は、インクを化学線に露光せずに、
インクが基材に噴射されてから１．０秒を超えると、インクを５００ｍＷ／ｃｍ２を超える強度を有する化学線に露光するステップ
を含む、請求項１１に記載の方法。
【請求項１４】
請求項１から１０のいずれかに記載のインクを含むインクジェットカートリッジ。
【請求項１５】
請求項１から１０のいずれかに記載のインクが印刷されている基材。
【手続補正２】
【補正対象書類名】明細書
【補正対象項目名】０００９
【補正方法】変更
【補正の内容】
【０００９】
したがって、本発明は、インクの全重量を基準として少なくとも３０重量％の単官能性アクリレートモノマーおよびインクの全重量を基準として少なくとも３重量％の光開始剤を含む無色のインクジェットインク組成物であって、光開始剤がα−ヒドロキシケトン光開始剤を含み、インクがインクの全重量を基準として０〜６重量％のアシルホスフィン光開始剤を含む無色のインクジェットインク組成物を提供する。
第１項は、インクの全重量を基準として少なくとも３０重量％の単官能性アクリレートモノマーと、インクの全重量を基準として少なくとも３重量％の光開始剤とを含む無色のインクジェットインク組成物であって、光開始剤がα−ヒドロキシケトン光開始剤を含み、インクがインクの全重量を基準として０〜６重量％のアシルホスフィン光開始剤を含む、組成物である。
第２項は、インクの全重量を基準として３５〜８０重量％の単官能性アクリレートモノマーを含む、請求項１に記載の無色のインクジェットインクである。第３項は、多官能性（メタ）アクリレートモノマー、Ｎ−ビニルアミド、Ｎ−（メタ）アクリロイルアミンおよびβ−不飽和エーテルモノマーから選択される、１つのまたは複数の異なる放射線硬化性モノマーを含む、第１または第２項に記載の無色のインクジェットインクである。第４項は、インクの全重量を基準として１５〜５０重量％、好ましくは２０〜４０重量％の多官能性（メタ）アクリレートモノマーを含む、第１から第３項のいずれかに記載の無色のインクジェットインクである。
第５項は、インクの全重量を基準としてＮ−ビニルアミドおよび／またはＮ−アクリロイルアミンを３〜４０重量％、好ましくは５〜３０重量％、より好ましくは８〜１８重量％含む、第１から第４項のいずれかに記載の無色のインクジェットインクである。第６項は、脂肪族または芳香族環状基を含む１つまたは複数の単官能性モノマーを含む、第１から第５項のいずれかに記載の無色のインクジェットインクである。第７項は、単官能性アクリレートモノマーが、脂肪族または芳香族環状基を含み、フェノキシエチルアクリレート、環状ＴＭＰホルマールアクリレート、イソボルニルアクリレート、テトラヒドロフルフリルアクリレートおよびジシクロペンテニルオキシエチルアクリレート、ならびにそれらの混合物から好ましくは選択される、第１から第６項のいずれかに記載の無色のインクジェットインクである。第８項は、単官能性アクリレートモノマーが、環状ＴＭＰホルマールアクリレート、イソボルニルアクリレート、またはそれらの混合物を含む、第１から第７項のいずれかに記載の無色のインクジェットインクである。第９項は、単官能性アクリレートモノマーが、環状ＴＭＰホルマールアクリレートを含む、第１から第８項のいずれかに記載の無色のインクジェットインクである。第１０項は、Ｃ６〜Ｃ１４直鎖状アルキル基を含む１つまたは複数のモノマーを含む、第１から第９項のいずれかに記載の無色のインクジェットインクである。第１１項は、３−メチルペンタンジオールジアクリレートを含む、第１から第１０項のいずれかに記載の無色のインクジェットインクである。第１２項は、単官能性アクリレートモノマーが、インク中に存在する単官能性アクリレートモノマーの全重量を基準として、Ｃ６〜Ｃ１４直鎖状アルキル基を含む０〜７５重量％の単官能性アクリレートモノマーと、脂肪族または芳香族環状基を含む２５〜１００重量％の単官能性アクリレートモノマーとを含む、第１から第１１項のいずれかに記載の無色のインクジェットインクである。第１３項は、オリゴマーまたは不活性樹脂をさらに含む、第１から第１２項のいずれかに記載の無色のインクジェットインクである。
第１４項は、少なくとも１つの単官能性アクリレートモノマーと、任意選択のＮ−ビニルアミドモノマーまたはＮ−アクリロイルアミンモノマーと、官能性オリゴマーとを含む、第１から第１３項のいずれかに記載の無色のインクジェットインクである。第１５項は、少なくとも１つの単官能性アクリレートモノマーと、任意選択のＮ−ビニルアミドモノマーと、官能性オリゴマーと、多官能性（メタ）アクリレートモノマーとを含む、第１から第１４項のいずれかに記載の無色のインクジェットインクである。第１６項は、水および揮発性有機溶媒を実質的に含まない、第１から第１５項のいずれかに記載の無色のインクジェットインクである。第１７項は、α−ヒドロキシケトン光開始剤が、１−ヒドロキシシクロヘキシルフェニルケトン、２−ヒドロキシ−２−メチル−１−フェニルプロパン−１−オンと、１−［４−（２−ヒドロキシエトキシ）−フェニル］−２−ヒドロキシ−２−メチル−１−プロパン−１−オンとから選択される、第１から第１６項のいずれかに記載の無色のインクジェットインクである。第１８項は、１つまたは複数のさらなるフリーラジカル光開始剤を含む、第１から第１７項のいずれかに記載の無色のインクジェットインクである。第１９項は、インクの全重量を基準として３〜２０重量％、好ましくは３〜１５重量％の光開始剤を含む、第１から第１８項のいずれかに記載の無色のインクジェットインクである。第２０項は、α−ヒドロキシケトン光開始剤が、光開始剤の全重量を基準として２５〜１００重量％、より好ましくは５０〜１００重量％の量で存在する、第１から第１９項のいずれかに記載の無色のインクジェットインクである。第２１項は、インクの全重量を基準として０〜４重量％、好ましくは０〜３重量％のアシルホスフィン光開始剤を含む、第１から第２０項のいずれかに記載の無色のインクジェットインクである。第２２項は、第１から第２１項のいずれかに記載の無色のインクジェットインクを基材に印刷するステップおよびインクを化学線に露光するステップを含む、インクジェット印刷の方法である。
第２３項は、インクを化学線に露光するステップが、インクが基材に噴射されてから１．０秒以内は、インクを３００ｍＷ／ｃｍ２未満の強度を有する化学線に露光するステップと、インクが基材に噴射されてから１．０秒を超えると、インクを５００ｍＷ／ｃｍ２を超える強度を有する化学線に露光するステップとを含む、第２２に記載の方法である。第２４項は、インクを化学線に露光するステップが、インクが基材に噴射されてから１．０秒以内は、インクを化学線に露光せずに、インクが基材に噴射されてから１．０秒を超えると、インクを５００ｍＷ／ｃｍ２を超える強度を有する化学線に露光するステップを含む、第２２項に記載の方法である。
第２５項は、無色のインクジェットインクが、着色剤を含むインクジェットインクをインクジェット印刷することによって形成された印刷画像の上または下に印刷される、第２２から第２４のいずれか一項に記載の方法である。第２６項は、無色のインクジェットインクが、着色剤を含む１つまたは複数のインクジェットインクと同時に印刷される、第２２から第２４のいずれか一項に記載の方法である。第２７項は、前記着色剤が顔料である、第２５項または第２６項に記載の方法である。第２８項は、第１から第２１項のいずれかに記載のインクを含むインクジェットカートリッジである。第２９項は、第１から第２１項のいずれかに記載のインクが印刷されている基材である。